(57)【要約】【課題】透水性構造体に装飾性を持たせて街路などの景観を高める。【解決手段】透水性構造体１０は、骨材２１，３１の相互間隙間が水通路として作用する。透水性構造体１０は、主要部を形成しているベース層２０と、ベース層２０の表面を覆う表層３０とに分かれていて、表層３０の骨材が天然石である乾燥砂利でなる。表層３０及びベース層２０のそれぞれの骨材３１，２１がセラミック繊維又はガラス繊維を混合したエポキシ系樹脂バインダーで固められている。透水性構造体を路床上に積層されたクラッシャーランでなる雨水滞留層の上に施工することにより透水性舗装構造が構成される。透水性構造体を縁枠の内部に装填することにより排水設備用の透水性蓋体が構成される。【選択図】図１
2020186557.tif 000002
【特許請求の範囲】
【請求項１】
集合体を形成している骨材の相互間隙間が水通路として作用する透水性構造体であって、
上記集合体が、上記透水性構造体の主要部を形成しているベース層と、このベース層の上側に施工されてこのベース層の表面を覆う表層とに分かれていて、表層の骨材が天然石である乾燥砂利でなることを特徴とする透水性構造体。
【請求項２】
上記表層及び上記ベース層のそれぞれの骨材が無機繊維を混合した樹脂バインダーで固められている請求項１に記載した透水性構造体。
【請求項３】
上記無機繊維がセラミック繊維又はガラス繊維であり、上記樹脂バインダーがエポキシ系樹脂バインダーである請求項２に記載した透水性構造体。
【請求項４】
上記表層の層厚が１０ｍｍ以下である請求項１ないし請求項３のいずれか１項に記載した透水性構造体。
【請求項５】
上記表層の骨材の粒径が上記ベース層の骨材の粒径よりも小さい請求項１ないし請求項４のいずれか１項に記載した透水性構造体。
【請求項６】
路床上に積層されたクラッシャーランでなる雨水滞留層の上に施工されることにより透水性舗装構造を構成する請求項１ないし請求項５のいずれか１項に記載した透水性構造体。
【請求項７】
金属製の縁枠の囲繞空間に装填されることにより上記縁枠と協働して集水桝などの排水設備の上部開口を覆う透水性蓋体を構成する請求項１ないし請求項５のいずれか１項に記載した透水性構造体。
【発明の詳細な説明】
【技術分野】
【０００１】
本発明は、透水性構造体、特に、集合体を形成している骨材の相互間隙間が水通路として作用する透水性構造体に関する。
【背景技術】
【０００２】
従来、砂利などの骨材を利用した透水性構造体が知られており、この種の透水性構造体では、集合体を形成している骨材の相互間隙間が水通路として作用する。この種の透水性構造体を舗装に適用した先行例として、透水性を備えた表層を有する透水性舗装構造体が提案されている（たとえば、特許文献１参照）。特許文献１によって提案されている透水性舗装構造体では、路床上にフィルター層と保水性路盤層と表層とがこの順に積層されている。一方、排水設備の分野において、集水桝や側溝などの排水溝には、それらの上部開口を覆って蓋体が設置される。この種の蓋体には、金属製やプラスチック製の蓋体が多用されていて、それらの蓋体には、スリット形状や丸穴形状、格子形状の通水孔が備わっている（たとえば、特許文献２〜５参照）。
【０００３】
ところで、近時では、都市街路や住宅地、屋外駐車スペース、公園といった様々な場所の景観を高めるための施策が広く行われていて、街路や各種の屋外スペースでの舗装や屋外排水設備の分野においても同様の施策を行う機運が高まっている。
【先行技術文献】
【特許文献】
【０００４】
【特許文献１】特願２０１０−２２９７０７号公報
【特許文献２】特開２００６−４５９５９号公報
【特許文献３】特開２００６−２９９７５２号公報
【特許文献４】特開２０１１−１９６１５８号公報
【特許文献５】特開２００５−３０７４８４号公報
【発明の概要】
【発明が解決しようとする課題】
【０００５】
しかしながら、特許文献１によって提案されている透水性舗装構造体では、透水性の舗装構造自体に装飾性を持たせて周囲の景観を高めるための対策は講じられていなかった。
【０００６】
また、特許文献２〜５によって提案されている蓋体は、スリット形状や丸穴形状、格子形状などの開口面積の比較的大きな通水孔によって排水性を発揮させているために、通水孔が木の葉やごみなどによって塞がれたようなときには、排水性能が極端に低下したり、場合によっては排水が不可能になるという事態が起こり得る。そのほか、靴のヒールやベビーカーの車輪が通水孔に挟まることがあるという危険性や、害虫やネズミ、イタチなどが通水孔から集水桝や側溝の内部に侵入したり、通水孔から侵入した蚊などが集水桝や側溝の内部でボウフラなあどを繁殖させたりするというおそれもある。さらに、特許文献２〜５によって提案されている蓋体においても、蓋体自体に装飾性を持たせて周囲の景観を高めるための対策は講じられていなかった。
【０００７】
本発明は、以上の状況に鑑みてなされたものであり、集合体を形成している骨材の相互間隙間が水通路として作用する透水性を備えていることは勿論、装飾性を発揮する機能を具備させて景観を高めることに役立つ透水性構造体を提供することを目的としている。
【０００８】
また、本発明は、透水性と装飾性の両方を具備する透水性舗装構造や透水性蓋体に容易に適用することのできる透水性構造体を提供することを目的としている。
【課題を解決するための手段】
【０００９】
本発明に係る透水性構造体は、集合体を形成している骨材の相互間隙間が水通路として作用する透水性構造体であって、上記集合体が、上記透水性構造体の主要部を形成しているベース層と、このベース層の上側に施工されてこのベース層の表面を覆う表層とに分かれていて、表層の骨材が天然石である乾燥砂利でなる、というものである。
【００１０】
この構成を有する透水性構造体において、骨材には、砂利や砕石、細砂などを適宜選択使用することが可能で、骨材の集合体では、骨材の相互間隙間が水通路として作用して高い排水性能を発揮する。そして、当該透水性構造体に要求される強度は、その主要部を形成しているベース層によって主に発揮される。また、表層の骨材に用いられる天然石である乾燥砂利はその種類によって様々な色調を本来的に備えているため、表層の骨材によって高い装飾性が発揮される。
【００１１】
本発明に係る透水性構造体では、上記表層及び上記ベース層のそれぞれの骨材が無機繊維を混合した樹脂バインダーで固められていることが望ましい。この構成を採用すると、集合体を形成している骨材の相互間に無機繊維を混合した樹脂バインダーが介在して骨材同士が３次元立体構造を形作って固定されるため、骨材の相互間に広い隙間が形成されてより高い排水性能が発揮されるようになるだけでなく、集合体の形崩れも起こりにくくなる。この作用は、上記無機繊維がセラミック繊維又はガラス繊維であり、上記樹脂バインダーがエポキシ系樹脂バインダーである場合に顕著に発揮される。
【００１２】
本発明に係る透水性構造体では、上記表層の層厚が１０ｍｍ以下であることが望ましい。表層に使用される骨材は、比較的高価な天然石である乾燥砂利でなり、主な使用目的は装飾性を高めるためであるので、表層の骨材の使用量は必要最小限度にすることが望ましい。この観点から表層の層厚は１０ｍｍもあれば十分であり、そうすることによって、当該透水性構造体の低コスト化を図りやすくなる。この作用は、上記表層の骨材の粒径が上記ベース層の骨材の粒径よりも小さい場合にも発揮される。
【００１３】
以上説明した透水性構造体は、路床上に施工される透水性舗装構造や集水桝や側溝といった排水設備の上部開口を覆う排水設備用の透水性蓋体に容易に適用することができる。すなわち、本発明に係る上記透水性構造体は、路床上に積層されたクラッシャーランでなる雨水滞留層の上に施工されることにより透水性舗装構造を構成する。また、本発明に係る上記透水性構造体は、金属製の縁枠の囲繞空間に装填されることにより上記縁枠と協働して集水桝などの排水設備の上部開口を覆う透水性蓋体を構成する。
【００１４】
これらの透水性舗装構造や透水性蓋体にあっては、上記した透水性構造体の特性である高い排水性能や装飾性が発揮されるため、都市街路や住宅地、屋外駐車スペース、公園といった様々な場所の景観を高めることに役立つ。特に、透水性蓋体にあっては、透水性と装飾性の両方が発揮されるだけでなく、当該透水性蓋体が、上記した先行例に見られるようなスリット形状や丸穴形状、格子形状などの開口面積の比較的大きな通水孔を具備せず、骨材の相互間隙間によって水通路が形成されるので、木の葉やごみなどによって透水性が阻害されにくく、靴のヒールやベビーカーの車輪が挟まる危険性がなく、害虫やネズミ、蚊などが側溝や集水桝の内部に侵入することも未然に防止されることになる。
【発明の効果】
【００１５】
以上説明したように、本発明に係る透水性構造体は、高い透水性と装飾性を発揮する。また、必要な強度が主にベース層によって発揮され、表層によって装飾性が発揮されるので、透水性舗装構造や排水設備の透水性蓋体に好適に適用することが可能である。
【００１６】
また、本発明に係る透水性構造体を透水性舗装構造に適用すると、透水性舗装構造が透水性構造体の特性である高い透水性だけでなく、周囲の景観を高めることに役立つ装飾性をも発揮する。
【００１７】
さらに、本発明に係る透水性蓋体については、上記透水性舗装構造の場合と同様に、高い透水性や装飾性を発揮して周囲の景観を高めることに役立つだけでなく、木の葉やごみなどによって排水性能が阻害されにくく、靴のヒールやベビーカーの車輪が挟まる危険性がなく、害虫やネズミ、蚊などが側溝や集水桝の内部に侵入することを未然に防ぐことができるようになるという効果が奏される。
【図面の簡単な説明】
【００１８】
【図１】本発明に係る透水性構造体を採用した透水性舗装構造の概略断面図である。
【図２】無機繊維を混合した樹脂バインダーで固められた骨材によって形成される３次元立体構造の説明図である。
【図３】透水性構造体を集水桝の透水性蓋体に適用した事例を示す概略斜視図である。
【図４】透水性蓋体の断面構造を例示した説明図である。
【図５】透水性構造体を側溝の透水性蓋体に適用した事例を示した概略斜視図である。
【発明を実施するための形態】
【００１９】
図１は本発明の実施形態に係る透水性構造体１０を採用した透水性舗装構造の概略断面図である。同図に示した透水性構造体１０は、ベース層２０と表層３０とを有する骨材の集合体でなる。集合体を形成している骨材には、砂利や砕石、細砂などを適宜選択使用することが可能である。この透水性構造体１０では、集合体を形成している骨材の相互間隙間が水通路として作用して高い排水性能を発揮する。また、集合体のベース層２０が、透水性構造体１０の主要部を形成していて、当該透水性構造体１０に要求される強度をこのベース層２０が担っている。これに対し、集合体の表層３０は、透水性構造体１０に要求される装飾性を発揮する。
【００２０】
この実施形態の透水性構造体１０では、表層３０の骨材として天然石である乾燥砂利が使用されている。天然石である乾燥砂利は天然化粧砂利とも称され、造園やガーデニングの分野でも使用されている。この種の乾燥砂利は、採石地域などに応じて様々な名称の砂利が知られている。具体例としては、琥珀、伊勢錆、吉備、黄金、淡路砂利、猿投、錦、南部、金華、東雲、花水木、桂林、ヤマトざくら、紅サンゴ、大納言、象牙、瀬戸内、庵治、雅、黒玉砂利、淡那智、御浜、大磯、青海、青玉砂利、などが知られている。これらの乾燥砂利は、それぞれが独特の色調や光沢といった表面性状を備えていて、数種類を混合して使用した場合は勿論、個々に単独で使用しても、高い装飾性を発揮する。
【００２１】
図１において、符号２１はベース層２０の骨材を示し、符号３１は表層３０の骨材を示している。表層３０の骨材３１の粒径は５ｍｍ前後に揃えられていて、ベース層２０の骨材２１よりも粒径（平均粒径）が小さい。また、実施形態の透水性構造体１０では、表層３０の層厚が１０ｍｍ以下になっている。これは、表層３０に使用される骨材３１が比較的高価な天然石である乾燥砂利でなり、主な使用目的が装飾性を高めるためであるので、表層３０の骨材３１の使用量を必要最小限度にすることが、当該透水性構造体１０の低コスト化を図りやすくすることに役立ち、当該透水性構造体１０に装飾性を持たせるためには、表層３０の層厚は１０ｍｍもあれば十分であることによる。
【００２２】
実施形態の透水性構造体１０では、表層３０及びベース層２０のそれぞれの骨材３１，２１が無機繊維を混合した樹脂バインダーで固められている。
【００２３】
図２には無機繊維を混合した樹脂バインダー４０で固められた骨材によって形成される３次元立体構造を説明的に示している。同図のように骨材３１，２１が無機繊維を混合した樹脂バインダーで固められていると、骨材２１，３１の相互間に広い隙間Ｓが形成されて高い排水性能が発揮されるようになるだけでなく、ベース層２０や表層３０の集合体の形崩れも起こりにくくなる。この作用は、無機繊維にセラミック繊維又はガラス繊維を採用し、樹脂バインダーにエポキシ系樹脂バインダーを採用することによって顕著に発揮されることが判っている。
【００２４】
以上説明した透水性構造体１０は、路床上に施工される透水性舗装構造や側溝などの排水設備の上部開口を覆う排水設備用の透水性蓋体に容易に適用することができる。
図１に示したように、実施形態に係る透水性舗装構造では、上記した透水性構造体１０が、路床（土層）５０上に積層されたクラッシャーランでなる雨水滞留層６０の上に施工されている。雨水滞留層６０を形成しているクラッシャーランは、一般的な舗装構造において、主に下層路盤をつくる際に使われ、石を砕いたものが主流であるけれども、コンクリートの廃材を再利用して作られることもある。図１に示した透水性舗装構造において、雨水滞留層６０の層厚は１００ｍｍ程度に定められているけれども、この雨水滞留層６０の層厚は、様々な条件を勘案して任意に適切に定められる。また、透水性構造体１０のベース層２０の層厚は、歩道部では２０〜３０ｍｍが適切であり、車道部では４０〜５０ｍｍが適切である。さらに、上記表層３０の層厚は歩道部及び車道部で、共に１０ｍｍ程度が適切である。
【００２５】
図１に示した透水性舗装構造に採用されている透水性構造体１０は、ベース層２０が、装飾性を発揮する表層３０で覆われたストーン・コート構造を有し、ベース層２０の施工後に表層３０を施工するというツーレベル工法によって２層構造の形で施工される。
【００２６】
図１に示した透水性舗装構造によると、降雨時に、雨水が表層３０とベース層２０をこの順に通過して雨水滞留層６０に達し、その後、路床５０に浸透する。この場合、雨水滞留層６０は、雨水を路床５０に浸透するまで滞留させることによって表層３０に雨水が溢れ出ることを未然に抑制する役割を担っている。また、この透水性舗装構造において、表層３０に使用される骨材３１として粒径が５ｍｍ前後のものを採用すると、路面（表層３０の表面）に現れる凹凸が目立たなくなって、上記した装飾性が良好に発揮され、周囲の景観が顕著に高まるだけでなく、自動車の走行や駐車に際して雑音や振動の軽減に役立ち、さらに自動車のタイヤや人の足がスリップしにくくなって、特に歩行に際して足や身体の疲れを軽減することにも役立つ。
【００２７】
図３は上記した透水性構造体１０（図１参照）を排水設備用として使用される集水桝（雨水桝及び排水桝を含む）の透水性蓋体７０に適用した事例を示した概略斜視図、図４は透水性蓋体７０の断面構造を例示した説明図である。周知のように、集水桝は、道路脇の側溝や住宅の雨水樋から流れ出た水を受けるために水路の勾配の変わる場所や水路を合流させたい場所などに設置され、水路の泥やごみが詰まらないように泥溜り・ゴミ溜りとしての役割を果たす排水設備である。この種の集水桝は、上部開口を有していて、その上部開口の周囲に設けられている蓋受け枠に透水性蓋体７０が着脱される。
【００２８】
実施形態の透水性蓋体７０は、ステンレスなどの金属製の縁枠７１を有し、この縁枠７１の囲繞空間に、図１を参照して説明した透水性構造体１０が装填されている。この透水性蓋体７０を製作するときには、第１段階として、縁枠７１の囲繞空間に、無機繊維を混合した樹脂バインダーと骨材２１との混合物を流し込んでベース層２０を形成した後、第２段階として、固まったベース層２０の上に、無機繊維を混合した樹脂バインダーと骨材３１との混合物を流し込むことにより表層３０を形成して固まらせる。このような第１段階及び第２段階の手順を行うと、天然石である乾燥砂利でなる表層３０の骨材３１がベース層２０の中に沈み込んだりベース層２０の骨材２１が表層３０の中に浮き上がったりして、表層３０の骨材３１にベース層２０の骨材２１が混ざったり、表層３０が凸凹になる、といった不都合な自体が起こらないので表層３０を綺麗に仕上げやすいという利点がある。透水性蓋体７０の形状は、図示したような方形であっても、それ以外の矩形や長四角形、円形などであってもよく、相手方集水桝の蓋受け枠の形状に合わせた形が選択される。
【００２９】
図４に示した透水性蓋体７０では、縁枠７１がステンレスなどの金属製の外フレーム７２と、この外フレーム７２に固定されている複数のメインバー７３とを備えていて、縁枠７１の囲繞空間に装填されている透水性構造体１０のベース層２０がメインバー７３にアンカリングされている。縁枠７１の構成は図４に示した事例に限定されることがないことは勿論である。
【００３０】
図５は上記した透水性構造体１０（図１参照）を排水設備用として使用される側溝の透水性蓋体８０に適用した事例を示した概略斜視図である。この透水性蓋体８０は、金属製の縁枠８１を有し、この縁枠８１の囲繞空間に、図１を参照して説明した透水性構造体１０が装填されている。周知のように、側溝は、道路の側端に設けた小水路のことであり、道路の路面排水に役立つ。この側溝に適当な間隔を開けて上記した集水枡が設けられる。この透水性蓋体８０の基本構成は図３及び図４を参照して説明した集水桝の透水性蓋体７０と同様であるけれども、その用途が、細長い側溝であることからその形状が長四角形に形成されている。この透水性蓋体８０は、縦又は横に並べて側溝の上部開口の蓋受け枠に装着される。
【００３１】
図３や図５を参照して説明した透水性蓋体７０，８０にあっては、上記した透水性構造体１０の特性である高い排水性能や装飾性が発揮されるため、都市街路や住宅地、屋外駐車スペース、公園といった様々な場所の景観を高めることに役立つ。また、透水性と装飾性の両方が発揮されるだけでなく、透水性蓋体７０，８０が、大きな通水孔を具備せず、骨材の相互間隙間によって水通路が形成されているので、木の葉やごみなどによって透水性が阻害されにくく、靴のヒールやベビーカーの車輪が挟まる危険性がなく、害虫やネズミ、蚊などが側溝や集水桝の内部に侵入することも未然に防止されることになる。
【符号の説明】
【００３２】
１０  透水性構造体
２０  ベース層
２１，３１  集合体を形成している骨材
３０  表層
４０  無機繊維を混合した樹脂バインダー
６０  雨水滞留層
７０，８０  透水性蓋体
７１，８１  縁枠
Ｓ  隙間（骨材の相互間隙間）
【図１】
2020186557.tif 000003
【図２】
2020186557.tif 000004
【図３】
2020186557.tif 000005
【図４】
2020186557.tif 000006
【図５】
2020186557.tif 000007
【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
集合体を形成している骨材の相互間隙間が水通路として作用し、かつ、この集合体が金属製の縁枠の囲繞空間に装填されることにより上記縁枠と協働して集水桝などの排水設備の上部開口を覆う透水性蓋体を構成している透水性構造体であって、
上記集合体が、上記透水性構造体の主要部を形成しているベース層と、このベース層の上側に施工されてこのベース層の表面を覆う表層とに分かれていて、表層の骨材が天然石である乾燥砂利でなると共に、上記表層及び上記ベース層のそれぞれの骨材が、セラミック繊維又はガラス繊維を混合したエポキシ系樹脂バインダーで固められ、
上記表層の層厚が１０ｍｍ以下であり、
上記表層の骨材の粒径が上記ベース層の骨材の粒径よりも小さく、５ｍｍ前後に揃えられており、
上記縁枠が金属製の外フレームとこの外フレームに固定されている複数のメインバーとを備えていて、集合体の上記ベース層がこのメインバーにアンカリングされていることを特徴とする透水性構造体。
【手続補正２】
【補正対象書類名】明細書
【補正対象項目名】全文
【補正方法】変更
【補正の内容】
【発明の詳細な説明】
【技術分野】
【０００１】
本発明は、集合体を形成している骨材の相互間隙間が水通路として作用する透水性構造体、特に、集合体が金属製の縁枠の囲繞空間に装填されることにより上記縁枠と協働して集水桝などの排水設備の上部開口を覆う透水性蓋体を構成している透水性構造体に関する。
【背景技術】
【０００２】
従来、砂利などの骨材を利用した透水性構造体が知られており、この種の透水性構造体では、集合体を形成している骨材の相互間隙間が水通路として作用する。この種の透水性構造体を舗装に適用した先行例として、透水性を備えた表層を有する透水性舗装構造体が提案されている（たとえば、特許文献１参照）。特許文献１によって提案されている透水性舗装構造体では、路床上にフィルター層と保水性路盤層と表層とがこの順に積層されている。一方、排水設備の分野において、集水桝や側溝などの排水溝には、それらの上部開口を覆って蓋体が設置される。この種の蓋体には、金属製やプラスチック製の蓋体が多用されていて、それらの蓋体には、スリット形状や丸穴形状、格子形状の通水孔が備わっている（たとえば、特許文献２〜５参照）。
【０００３】
ところで、近時では、都市街路や住宅地、屋外駐車スペース、公園といった様々な場所の景観を高めるための施策が広く行われていて、街路や各種の屋外スペースでの舗装や屋外排水設備の分野においても同様の施策を行う機運が高まっている。
【先行技術文献】
【特許文献】
【０００４】
【特許文献１】特願２０１０−２２９７０７号公報
【特許文献２】特開２００６−４５９５９号公報
【特許文献３】特開２００６−２９９７５２号公報
【特許文献４】特開２０１１−１９６１５８号公報
【特許文献５】特開２００５−３０７４８４号公報
【発明の概要】
【発明が解決しようとする課題】
【０００５】
しかしながら、特許文献１によって提案されている透水性舗装構造体では、透水性の舗装構造自体に装飾性を持たせて周囲の景観を高めるための対策は講じられていなかった。
【０００６】
また、特許文献２〜５によって提案されている蓋体は、スリット形状や丸穴形状、格子形状などの開口面積の比較的大きな通水孔によって排水性を発揮させているために、通水孔が木の葉やごみなどによって塞がれたようなときには、排水性能が極端に低下したり、場合によっては排水が不可能になるという事態が起こり得る。そのほか、靴のヒールやベビーカーの車輪が通水孔に挟まることがあるという危険性や、害虫やネズミ、イタチなどが通水孔から集水桝や側溝の内部に侵入したり、通水孔から侵入した蚊などが集水桝や側溝の内部でボウフラなどを繁殖させたりするというおそれもある。さらに、特許文献２〜５によって提案されている蓋体においても、蓋体自体に装飾性を持たせて周囲の景観を高めるための対策は講じられていなかった。
【０００７】
本発明は、以上の状況に鑑みてなされたものであり、集合体を形成している骨材の相互間隙間が水通路として作用する透水性を備えていることは勿論、装飾性を発揮する機能を具備させて景観を高めることに役立つ透水性構造体、特に、上記集合体が金属製の縁枠の囲繞空間に装填されることにより上記縁枠と協働して集水桝などの排水設備の上部開口を覆う透水性蓋体を構成している透水性構造体を提供することを目的としている。
【０００８】
また、本発明は、透水性と装飾性の両方を具備する透水性蓋体に適用された透水性構造体を提供することを目的としている。
【課題を解決するための手段】
【０００９】
本発明に係る透水性構造体は、集合体を形成している骨材の相互間隙間が水通路として作用し、かつ、この集合体が金属製の縁枠の囲繞空間に装填されることにより上記縁枠と協働して集水桝などの排水設備の上部開口を覆う透水性蓋体を構成している透水性構造体であって、上記集合体が、上記透水性構造体の主要部を形成しているベース層と、このベース層の上側に施工されてこのベース層の表面を覆う表層とに分かれていて、表層の骨材が天然石である乾燥砂利でなると共に、上記表層及び上記ベース層のそれぞれの骨材が、セラミック繊維又はガラス繊維を混合したエポキシ系樹脂バインダーで固められ、上記縁枠が金属製の外フレームとこの外フレームに固定されている複数のメインバーとを備えていて、集合体の上記ベース層がこのメインバーにアンカリングされている、というものである。
【００１０】
この構成を有する透水性構造体において、骨材には、砂利や砕石、細砂などを適宜選択使用することが可能で、骨材の集合体では、骨材の相互間隙間が水通路として作用して高い排水性能を発揮する。そして、当該透水性構造体に要求される強度は、その主要部を形成しているベース層によって主に発揮される。また、表層の骨材に用いられる天然石である乾燥砂利はその種類によって様々な色調を本来的に備えているため、表層の骨材によって高い装飾性が発揮される。
【００１１】
また、この構成の透水性構造体では、上記表層及び上記ベース層のそれぞれの骨材がセラミック繊維又はガラス繊維を混合したエポキシ系樹脂バインダーで固められているため、集合体を形成している骨材の相互間にセラミック繊維又はガラス繊維を混合したエポキシ系樹脂バインダーが介在して骨材同士が３次元立体構造を形作って固定されることになり、骨材の相互間に広い隙間が形成されてより高い排水性能が発揮されるようになるだけでなく、集合体の形崩れも起こりにくくなる。
【００１２】
本発明に係る透水性構造体では、上記表層の層厚が１０ｍｍ以下であることが望ましい。表層に使用される骨材は、比較的高価な天然石である乾燥砂利でなり、主な使用目的は装飾性を高めるためであるので、表層の骨材の使用量は必要最小限度にすることが望ましい。この観点から表層の層厚は１０ｍｍもあれば十分であり、そうすることによって、当該透水性構造体の低コスト化を図りやすくなる。この作用は、上記表層の骨材の粒径が上記ベース層の骨材の粒径よりも小さい場合にも発揮される。
【００１３】
以上説明した透水性構造体は、集水桝や側溝といった排水設備の上部開口を覆う排水設備用の透水性蓋体に適用されている。
【００１４】
したがって、当該透水性構造体が適用されている透水性蓋体にあっては、透水性構造体の特性である高い排水性能や装飾性が発揮されるだけでなく、透水性蓋体が、上記した先行例に見られるようなスリット形状や丸穴形状、格子形状などの開口面積の比較的大きな通水孔を具備せず、骨材の相互間隙間によって水通路が形成されるので、木の葉やごみなどによって透水性が阻害されにくく、靴のヒールやベビーカーの車輪が挟まる危険性がなく、害虫やネズミ、蚊などが側溝や集水桝の内部に侵入することも未然に防止されることになる。
【発明の効果】
【００１５】
以上説明したように、本発明に係る透水性構造体は、透水性蓋体に適用されていて、高い透水性と装飾性を発揮する。また、必要な強度が主にベース層によって発揮され、表層によって装飾性が発揮される。
【００１６】
また、本発明に係る透水性構造体が適用されている透水性蓋体は、木の葉やごみなどによって排水性能が阻害されにくく、靴のヒールやベビーカーの車輪が挟まる危険性がなく、害虫やネズミ、蚊などが側溝や集水桝の内部に侵入することを未然に防ぐことができるようになるという効果を奏する。
【図面の簡単な説明】
【００１７】
【図１】参考例としての透水性舗装構造に採用されている透水性構造体の概略断面図である。
【図２】無機繊維を混合した樹脂バインダーで固められた骨材によって形成される３次元立体構造の説明図である。
【図３】集水桝の透水性蓋体に適用した透水性構造体の実施形態を示す概略斜視図である。
【図４】透水性蓋体の断面構造を例示した説明図である。
【図５】側溝の透水性蓋体に適用した透水性構造体の実施形態を示した概略斜視図である。
【発明を実施するための形態】
【００１８】
図１は参考例としての透水性舗装構造に採用されている透水性構造体１０の概略断面図である。同図に示した透水性構造体１０は、ベース層２０と表層３０とを有する骨材の集合体でなる。集合体を形成している骨材には、砂利や砕石、細砂などを適宜選択使用することが可能である。この透水性構造体１０では、集合体を形成している骨材の相互間隙間が水通路として作用して高い排水性能を発揮する。また、集合体のベース層２０が、透水性構造体１０の主要部を形成していて、当該透水性構造体１０に要求される強度をこのベース層２０が担っている。これに対し、集合体の表層３０は、透水性構造体１０に要求される装飾性を発揮する。
【００１９】
図１に示した透水性構造体１０では、表層３０の骨材として天然石である乾燥砂利が使用されている。天然石である乾燥砂利は天然化粧砂利とも称され、造園やガーデニングの分野でも使用されている。この種の乾燥砂利は、採石地域などに応じて様々な名称の砂利が知られている。具体例としては、琥珀、伊勢錆、吉備、黄金、淡路砂利、猿投、錦、南部、金華、東雲、花水木、桂林、ヤマトざくら、紅サンゴ、大納言、象牙、瀬戸内、庵治、雅、黒玉砂利、淡那智、御浜、大磯、青海、青玉砂利、などが知られている。これらの乾燥砂利は、それぞれが独特の色調や光沢といった表面性状を備えていて、数種類を混合して使用した場合は勿論、個々に単独で使用しても、高い装飾性を発揮する。
【００２０】
図１において、符号２１はベース層２０の骨材を示し、符号３１は表層３０の骨材を示している。表層３０の骨材３１の粒径は５ｍｍ前後に揃えられていて、ベース層２０の骨材２１よりも粒径（平均粒径）が小さい。また、実施形態の透水性構造体１０では、表層３０の層厚が１０ｍｍ以下になっている。これは、表層３０に使用される骨材３１が比較的高価な天然石である乾燥砂利でなり、主な使用目的が装飾性を高めるためであるので、表層３０の骨材３１の使用量を必要最小限度にすることが、当該透水性構造体１０の低コスト化を図りやすくすることに役立ち、当該透水性構造体１０に装飾性を持たせるためには、表層３０の層厚は１０ｍｍもあれば十分であることによる。
【００２１】
実施形態の透水性構造体１０では、表層３０及びベース層２０のそれぞれの骨材３１，２１が無機繊維を混合した樹脂バインダーで固められている。
【００２２】
図２には無機繊維を混合した樹脂バインダー４０で固められた骨材によって形成される３次元立体構造を説明的に示している。同図のように骨材３１，２１が無機繊維を混合した樹脂バインダーで固められていると、骨材２１，３１の相互間に広い隙間Ｓが形成されて高い排水性能が発揮されるようになるだけでなく、ベース層２０や表層３０の集合体の形崩れも起こりにくくなる。この作用は、無機繊維にセラミック繊維又はガラス繊維を採用し、樹脂バインダーにエポキシ系樹脂バインダーを採用することによって顕著に発揮されることが判っている。
【００２３】
以上説明した透水性構造体１０は、参考例として説明した図１の透水性舗装構造に限らず、側溝などの排水設備の上部開口を覆う排水設備用の透水性蓋体に容易に適用することができる。図１に示したように、参考例に係る透水性舗装構造では、上記した透水性構造体１０が、路床（土層）５０上に積層されたクラッシャーランでなる雨水滞留層６０の上に施工されている。雨水滞留層６０を形成しているクラッシャーランは、一般的な舗装構造において、主に下層路盤をつくる際に使われ、石を砕いたものが主流であるけれども、コンクリートの廃材を再利用して作られることもある。図１に示した透水性舗装構造において、雨水滞留層６０の層厚は１００ｍｍ程度に定められているけれども、この雨水滞留層６０の層厚は、様々な条件を勘案して任意に適切に定められる。また、透水性構造体１０のベース層２０の層厚は、歩道部では２０〜３０ｍｍが適切であり、車道部では４０〜５０ｍｍが適切である。さらに、上記表層３０の層厚は歩道部及び車道部で、共に１０ｍｍ程度が適切である。
【００２４】
図１に示した透水性構造体１０は、ベース層２０が、装飾性を発揮する表層３０で覆われたストーン・コート構造を有し、ベース層２０の施工後に表層３０を施工するというツーレベル工法によって２層構造の形で施工される。
【００２５】
図１に示した参考例によると、降雨時に、雨水が表層３０とベース層２０をこの順に通過して雨水滞留層６０に達し、その後、路床５０に浸透する。この場合、雨水滞留層６０は、雨水を路床５０に浸透するまで滞留させることによって表層３０に雨水が溢れ出ることを未然に抑制する役割を担っている。また、この透水性舗装構造において、表層３０に使用される骨材３１として粒径が５ｍｍ前後のものを採用すると、路面（表層３０の表面）に現れる凹凸が目立たなくなって、上記した装飾性が良好に発揮され、周囲の景観が顕著に高まるだけでなく、自動車の走行や駐車に際して雑音や振動の軽減に役立ち、さらに自動車のタイヤや人の足がスリップしにくくなって、特に歩行に際して足や身体の疲れを軽減することにも役立つ。
【００２６】
図３は集水桝の透水性蓋体７０に適用された透水性構造体１０の実施形態の概略斜視図、図４は透水性蓋体７０の断面構造を例示した説明図である。周知のように、集水桝は、道路脇の側溝や住宅の雨水樋から流れ出た水を受けるために水路の勾配の変わる場所や水路を合流させたい場所などに設置され、水路の泥やごみが詰まらないように泥溜り・ゴミ溜りとしての役割を果たす排水設備である。この種の集水桝は、上部開口を有していて、その上部開口の周囲に設けられている蓋受け枠に透水性蓋体７０が着脱される。
【００２７】
透水性構造体１０が適用されている透水性蓋体７０は、ステンレスなどの金属製の縁枠７１を有し、この縁枠７１の囲繞空間に、図１を参照して説明した透水性構造体１０が装填されている。この透水性蓋体７０を製作するときには、第１段階として、縁枠７１の囲繞空間に、無機繊維を混合した樹脂バインダーと骨材２１との混合物を流し込んでベース層２０を形成した後、第２段階として、固まったベース層２０の上に、無機繊維を混合した樹脂バインダーと骨材３１との混合物を流し込むことにより表層３０を形成して固まらせる。このような第１段階及び第２段階の手順を行うと、天然石である乾燥砂利でなる表層３０の骨材３１がベース層２０の中に沈み込んだりベース層２０の骨材２１が表層３０の中に浮き上がったりして、表層３０の骨材３１にベース層２０の骨材２１が混ざったり、表層３０が凸凹になる、といった不都合な自体が起こらないので表層３０を綺麗に仕上げやすいという利点がある。透水性蓋体７０の形状は、図示したような方形であっても、それ以外の矩形や長四角形、円形などであってもよく、相手方集水桝の蓋受け枠の形状に合わせた形が選択される。
【００２８】
図４に示した透水性蓋体７０では、縁枠７１がステンレスなどの金属製の外フレーム７２と、この外フレーム７２に固定されている複数のメインバー７３とを備えていて、縁枠７１の囲繞空間に装填されている透水性構造体１０のベース層２０がメインバー７３にアンカリングされている。縁枠７１の構成は図４に示した事例に限定されることがないことは勿論である。
【００２９】
図５は排水設備用として使用される側溝の透水性蓋体に適用した透水性構造体の実施形態を示した概略斜視図である。この透水性蓋体８０は、金属製の縁枠８１を有し、この縁枠８１の囲繞空間に、図１を参照して説明した透水性構造体１０が装填されている。周知のように、側溝は、道路の側端に設けた小水路のことであり、道路の路面排水に役立つ。この側溝に適当な間隔を開けて上記した集水枡が設けられる。この透水性蓋体８０の基本構成は図３及び図４を参照して説明した集水桝の透水性蓋体７０と同様であるけれども、その用途が、細長い側溝であることからその形状が長四角形に形成されている。この透水性蓋体８０は、縦又は横に並べて側溝の上部開口の蓋受け枠に装着される。
【００３０】
図３や図５を参照して説明した透水性蓋体７０，８０にあっては、上記した透水性構造体１０の特性である高い排水性能や装飾性が発揮されるため、都市街路や住宅地、屋外駐車スペース、公園といった様々な場所の景観を高めることに役立つ。また、透水性と装飾性の両方が発揮されるだけでなく、透水性蓋体７０，８０が、大きな通水孔を具備せず、骨材の相互間隙間によって水通路が形成されているので、木の葉やごみなどによって透水性が阻害されにくく、靴のヒールやベビーカーの車輪が挟まる危険性がなく、害虫やネズミ、蚊などが側溝や集水桝の内部に侵入することも未然に防止されることになる。
【符号の説明】
【００３１】
１０  透水性構造体
２０  ベース層
２１，３１  集合体を形成している骨材
３０  表層
４０  無機繊維を混合した樹脂バインダー
６０  雨水滞留層
７０，８０  透水性蓋体
７１，８１  縁枠
７１  外フレーム
７３  メインバー
Ｓ  隙間（骨材の相互間隙間）